(57)【特許請求の範囲】
【請求項１】
第一媒質が存在する空間に紫外線を出射する紫外線出射部と、
前記第一媒質とは絶対屈折率が異なる第二媒質を粒状で前記空間に放出する第二媒質放出部と、を有し
前記第二媒質放出部の第二媒質放出口は、前記第二媒質放出口から放出された粒状の第二媒質で、前記空間の前記紫外線出射部の紫外線出射口と対向する位置を除いた部分に、前記紫外線出射部から出射された紫外線の向きを変える方向転換層が形成されるように配置されている紫外線照射モジュール。
【請求項２】
前記第二媒質放出部は、前記第二媒質を粒径が０．０１μｍ以上１０μｍ以下の粒状で放出する請求項１記載の紫外線照射モジュール。
【請求項３】
前記第一媒質の絶対屈折率ｎ１と前記第二媒質の絶対屈折率ｎ２は下記の式(1)を満たす請求項１または２記載の紫外線照射モジュール。
０．４≦ｎ１／ｎ２≦２．５…式(1)
【請求項４】
前記紫外線出射部の紫外線出射口と前記第二媒質放出部の第二媒質放出口とが対向している請求項１〜３のいずれか一項に記載の紫外線照射モジュール。
【請求項５】
前記空間を区画し、紫外線を反射する反射壁を有する請求項１〜４のいずれか一項に記載の紫外線照射モジュール。
【請求項６】
前記紫外線出射部は、前記第二媒質放出部から前記第二媒質が粒状で放出されている状態の前記空間に紫外線を照射する請求項１〜５のいずれか一項に記載の紫外線照射モジュール。
【請求項７】
請求項１〜６のいずれか一項に記載の紫外線照射モジュールを有する紫外線殺菌装置。
【請求項８】
請求項１〜６のいずれか一項に記載の紫外線照射モジュールを有する気体分解装置。
【発明の詳細な説明】
【技術分野】
【０００１】
この発明は、紫外線出射部を備えた紫外線照射モジュールに関する。
【背景技術】
【０００２】
紫外線照射モジュールの用途としては、紫外線で、食品や空気中に存在する細菌、ウイルス等を殺菌する紫外線殺菌装置と、オゾン殺菌装置で残留オゾンを分解して除去するモジュールが挙げられる。
紫外線殺菌装置に関しては、特許文献１に、水没状態にした野菜類又は果物類に超音波振動を伝達して洗浄を行うと共に、水の攪拌により野菜類又は果物類を流動させながら、紫外線を照射して殺菌を行うことを特徴とする生鮮野菜類等の殺菌洗浄法と、この方法を実施できる殺菌洗浄装置が記載されている。
【０００３】
この殺菌洗浄装置は、開閉可能な閉塞筐体内に、超音波洗浄手段を備えた貯留容器を配置すると共に、貯留容器内へ紫外線を照射する紫外線殺菌灯と、貯留容器内への紫外線照射を略均一に行うための反射手段（反射鏡）を配置したものである。
特許文献２には、波長の異なる２種の紫外線を用い、一方の紫外線で発生させたオゾンをもう一方の紫外線で分解するオゾン殺菌装置が記載されている。
【先行技術文献】
【特許文献】
【０００４】
【特許文献１】特開平１０−１１７９４８号公報
【特許文献２】特開平１１−２９０４２６号公報
【発明の概要】
【発明が解決しようとする課題】
【０００５】
紫外線照射モジュールには、照射対象物の全面に紫外線を照射することが難しいという課題がある。この課題を解決する方法として、紫外線を出射する光源を多数配置する方法がある。また、光源を増やさずに複雑な反射光学系を設置して、光源からの紫外線が直接照射されない部分にも紫外線を到達させる方法もある。
この発明の課題は、上記二つの方法とは全く異なる方法で照射対象物の全面に紫外線が照射されるように構成された紫外線照射モジュールを提供することである。
【課題を解決するための手段】
【０００６】
上記課題を解決するために、この発明の一態様の紫外線照射モジュールは、第一媒質が存在する空間に紫外線を出射する紫外線出射部と、前記第一媒質とは絶対屈折率が異なる第二媒質を粒状で前記空間に放出する第二媒質放出部と、を有する。前記空間には、主に第一媒質が存在するが、第一媒質以外の媒質が存在していてもよい。
【発明の効果】
【０００７】
この発明の一態様の紫外線照射モジュールは、従来の方法とは全く異なる方法で照射対象物の全面に紫外線が照射されるように構成された紫外線照射モジュールである。
【図面の簡単な説明】
【０００８】
【図１】第一実施形態の紫外線照射モジュールを含む紫外線殺菌装置を示す概略図である。
【図２】第二実施形態の紫外線照射モジュールを含む紫外線殺菌装置を示す概略図である。
【図３】第三実施形態の紫外線照射モジュールを含む紫外線殺菌装置を示す概略図である。
【図４】第四実施形態の紫外線照射モジュールを含む殺菌ミスト噴霧器を示す概略図である。
【発明を実施するための形態】
【０００９】
＜発明の態様＞
この発明の第一態様は、下記の構成(1) を有する紫外線照射モジュールである。
(1) 第一媒質が存在する空間（主に第一媒質が存在する空間）に紫外線を出射する紫外線出射部と、前記第一媒質とは絶対屈折率が異なる第二媒質を粒状で前記空間に放出する第二媒質放出部と、を有する。
【００１０】
第一態様の紫外線照射モジュールでは、前記紫外線出射部から前記空間に紫外線が照射され、前記空間の紫外線が照射された範囲に前記第二媒質放出部から前記第二媒質が粒状で放出された状態になると、以下の現象の少なくともいずれかが生じることにより、前記空間の紫外線が直接照射されていない部分にも紫外線が到達する。
その現象の一つは、前記範囲内の第一媒質と第二媒質との界面で両媒質の屈折率の違いにより、紫外線が反射または屈折することで発生する散乱である。もう一つの現象は粒子によるミー散乱である。
【００１１】
ミー散乱を発生させるという点から、第二媒質を粒状で放出する際の粒径は０．０１μｍ〜１０μｍであることが好ましく、０．１μｍ〜１．０μｍであることがより好ましい。
この発明の第二態様は、上記構成(1) と下記の構成(2) を有する紫外線照射モジュールである。
【００１２】
(2) 前記第一媒質の絶対屈折率ｎ１と前記第二媒質の絶対屈折率ｎ２は下記の式(1) を満たす。０．４≦ｎ１／ｎ２≦２．５…式(1)
この発明の第三態様は、下記の構成(3) を有する紫外線照射モジュールである。
【００１３】
(3) 第一態様または第二態様の紫外線照射モジュールにおいて、前記紫外線出射部の紫外線出射口と前記第二媒質放出部の第二媒質放出口とが対向している。
第三態様の紫外線照射モジュールによれば、紫外線出射口と第二媒質放出口との間に配置された物体の紫外線出射口側に、紫外線出射部から出射された紫外線が直接照射される。また、紫外線出射口と第二媒質放出口との間に配置された物体の紫外線出射口側では、上述の紫外線の散乱が発生しないか、その発生が抑制される。よって、前記構成(3) を有さないものと比較して、紫外線出射口と第二媒質放出口との間に配置された物体の紫外線出射口側への紫外線照射量が多くなる。
この発明の第四態様は、下記の構成(4) を有する紫外線照射モジュールである。
【００１４】
(4) 第一態様または第二態様の紫外線照射モジュールにおいて、前記第二媒質放出部の第二媒質放出口は、前記第二媒質放出口から放出された粒状の第二媒質で、前記空間の前記紫外線出射部の紫外線出射口と対向する位置を除いた部分に、前記紫外線出射部から出射された紫外線の向きを変える方向転換層が形成されるように配置されている。
【００１５】
第四態様の紫外線照射モジュールによれば、前記方向転換層に入射した紫外線により上述の紫外線の散乱が発生するため、前記空間の紫外線出射口と対向する位置に配置された物体の紫外線出射口とは反対側には、前記反対側に空間が存在している限り、前記方向転換層に入って散乱することで向きが変わった紫外線の散乱光が到達する。また、紫外線出射口と対向する位置に配置された物体の紫外線出射口側と紫外線出射口との間で、上述の紫外線の散乱が発生しない。
よって、第四態様の紫外線照射モジュールは、前記構成(4) を有さないものと比較して、上述の散乱により前記物体の紫外線出射口側へ直接向かう紫外線の低減量が少なくなる分だけ、前記物体の紫外線出射口側への紫外線照射量が多くなる。
この発明の第五態様は、下記の構成(5) を有する紫外線照射モジュールである。
【００１６】
(5) 第一態様乃至第三態様の紫外線照射モジュールにおいて、前記空間を区画し、紫外線を反射する反射壁を有する。
第五態様の紫外線照射モジュールによれば、紫外線出射部から出射された紫外線を、区画された前記空間内に止めて、紫外線の利用効率を向上することができる。
この発明の第六態様は、下記の構成(6) を有する紫外線照射モジュールである。
【００１７】
(6) 第一態様乃至第三態様の紫外線照射モジュールにおいて、前記紫外線出射部は、前記第二媒質放出部から前記第二媒質が粒状で放出されている状態の前記空間に紫外線を照射する。
上述の紫外線の散乱は前記空間内に放出された粒状の第二媒質が消失すると生じなくなるが、第六態様の紫外線照射モジュールによれば、前記構成(6) を有することで、粒状の第二媒質が存在しない空間に無駄に紫外線が照射されないため、上述の紫外線の散乱を効率的に発生させることができる。
【００１８】
この発明の第七態様は、上記各態様の紫外線照射モジュールを有する紫外線殺菌装置である。つまり、第七態様の紫外線殺菌装置は、第一媒質と細菌またはウイルスとが存在する空間に、上記各態様の紫外線照射モジュールで紫外線を照射して、細菌またはウイルスを殺菌する装置である。
この発明の第八態様は、上記各態様の紫外線照射モジュールを有する気体分解装置である。つまり、第八態様の気体分解装置は、第一媒質と紫外線吸収能を有する気体とが存在する空間に、上記各態様の紫外線照射モジュールで紫外線を照射して、その気体を分解する装置である。
【００１９】
＜発明の実施形態＞
以下、この発明の実施形態について説明するが、この発明は以下に示す実施形態に限定されない。以下に示す実施形態では、この発明を実施するために技術的に好ましい限定がなされているが、この限定はこの発明の必須要件ではない。
［第一実施形態］
第一実施形態では、この発明の一態様の紫外線照射モジュールを含む紫外線殺菌装置１０について説明する。
【００２０】
図１に示すように、紫外線殺菌装置１０は、ＵＶＣ−ＬＥＤ（紫外線出射部）１と、気泡発生器（第二媒質放出部）２と、水槽３を有する。水槽３は、立方体の箱状で、天井板３１と、底板３２と、壁板３３を有する。天井板３１、底板３２、および壁板３３の内面は、紫外線の反射率を高くする表面処理がなされて、紫外線の反射面となっている。水槽３は水（第一媒質）４を入れて使用される。
【００２１】
ＵＶＣ−ＬＥＤ１は、波長範囲が２５０ｎｍ〜２８０ｎｍの紫外線を発光する発光ダイオードであり、水槽３の天井板３１の中央部に発光面（紫外線出射口）を下側に向けて設置されている。天井板３１はＵＶＣ−ＬＥＤ１と離れた位置に、水槽３内への給排水と殺菌対象物５の出し入れを行うための開口部を有し、この開口部が脱自在の蓋で塞がれている。
【００２２】
気泡発生器２は、従来より公知の水槽用の気泡発生器であって、水槽３の底板３２の中央部に、空気（第二媒質）を微粒子状に放出する気泡放出口（第二媒質放出口）を上側に向けて設置されている。これにより、ＵＶＣ−ＬＥＤ１の発光面と気泡発生器２の気泡放出口とが対向している。
水（第一媒質）の絶対屈折率（ｎ１）は１．３３３であり、空気（第二媒質）の絶対屈折率（ｎ２）は１．０００２９３（地球の大気の絶対屈折率）であるため、有効数字二桁の場合、ｎ１／ｎ２＝１．３である。
【００２３】
紫外線殺菌装置１０を使用する際には、先ず、天井板３１の蓋を外して、水槽３内に水４を入れるとともに、野菜などの殺菌対象物５を入れる。次に、気泡発生器２から水槽３内に気泡（粒状の第二媒質）を放出すると同時に、ＵＶＣ−ＬＥＤ１から紫外線を水槽３内に照射する。
これに伴い、水槽３内の水４と気泡との界面で屈折率の違いにより紫外線が反射または屈折することに起因する散乱と、気泡によるミー散乱が生じ、この紫外線の散乱光が、水槽３内の紫外線が直接照射されていない部分（殺菌対象物５により影になる部分）に到達する。
【００２４】
この実施形態の紫外線殺菌装置１０は、紫外線出射部として一つのＵＶＣ−ＬＥＤ１を有し、複雑な反射光学系を有さない。そのため、紫外線出射部を配置して殺菌対象物の全面に紫外線を照射するように構成された紫外線殺菌装置や、複雑な反射光学系を設置して水槽内の紫外線が直接照射されない部分にも紫外線が到達するように構成された紫外線殺菌装置と比較して、簡易な構造とすることができる。
【００２５】
また、ＵＶＣ−ＬＥＤ１の発光面と気泡発生器２の気泡放出口とが、水槽３内の殺菌対象物５が配置される部分を挟んで対向しているため、殺菌対象物５の上側（紫外線出射部の紫外線出射口側）では、上述の紫外線の散乱が発生しないか、その発生が抑制される。よって、殺菌対象物５の上側でＵＶＣ−ＬＥＤ１から直接照射される紫外線の光量の減少が抑制される。
【００２６】
さらに、水槽３の内面が紫外線の反射面となっていることで、ＵＶＣ−ＬＥＤ１から出射された紫外線が水槽３内に止まるため、紫外線の利用効率が高い。
なお、この実施形態では、水槽３内に気泡（粒状の空気）を放出しているが、気泡に代えて窒素ガスなどを粒状に放出してもよい。また、水槽３内に水を入れているが、水以外の液体を入れてもよい。
【００２７】
［第二実施形態］
第二実施形態では、この発明の一態様の紫外線照射モジュールを含む紫外線殺菌装置１０Ａについて説明する。
図２に示すように、紫外線殺菌装置１０Ａは、ＵＶＣ−ＬＥＤ（紫外線出射部）１と、ミスト噴射器（第二媒質放出部）６と、ハウジング７を有する。ハウジング７は、立方体の箱状で、天井板７１と、底板７２と、壁板７３を有する。天井板７１、底板７２、および壁板７３の内面は、紫外線の反射率を高くする表面処理がなされて、紫外線の反射面となっている。ハウジング７内には空気（第一媒質）８が存在する。
【００２８】
ＵＶＣ−ＬＥＤ１は、波長範囲が２５０ｎｍ〜２８０ｎｍの紫外線を発光する発光ダイオードであり、ハウジング７の底板７２の中央部に発光面（紫外線出射口）を上側に向けて設置されている。
ミスト噴射器６は、従来より公知なものであり、ハウジング７の天井板７１の中央部に、水（第二媒質）を微粒子状に放出するミスト放出口（第二媒質放出口）を下側に向けて設置されている。これにより、ＵＶＣ−ＬＥＤ１の発光面とミスト噴射器６のミスト放出口とが対向している。
【００２９】
天井板７１はミスト噴射器６と離れた位置に、ハウジング７内へ殺菌対象物５の出し入れを行うための開口部を有し、この開口部が脱自在の蓋で塞がれている。
空気（第一媒質）の絶対屈折率（ｎ１）は１．０００２９３（地球の大気の絶対屈折率）であり、水（第二媒質）の絶対屈折率（ｎ２）は１．３３３であるため、有効数字二桁の場合、ｎ１／ｎ２＝０．７５である。
【００３０】
紫外線殺菌装置１０Ａを使用する際には、先ず、天井板７１の蓋を外して、ハウジング７内に野菜などの殺菌対象物５を入れる。次に、ミスト噴射器６から水のミスト（粒状の第二媒質）を発生させてハウジング７内に放出すると同時に、ＵＶＣ−ＬＥＤ１から紫外線をハウジング７内に照射する。
これに伴い、ハウジング７内の空気８と水のミストとの界面で屈折率の違いにより紫外線が反射または屈折することに起因する散乱と、ミストによるミー散乱が生じ、この散乱した紫外線が、ハウジング７内の紫外線が直接照射されていない部分（殺菌対象物５により影になる部分）に到達する。
【００３１】
この実施形態の紫外線殺菌装置１０Ａは、紫外線出射部として一つのＵＶＣ−ＬＥＤ１を有し、複雑な反射光学系を有さない。そのため、紫外線出射部を配置して殺菌対象物の全面に紫外線を照射するように構成された紫外線殺菌装置や、複雑な反射光学系を設置してハウジング内の紫外線が直接照射されない部分にも紫外線が到達するように構成された紫外線殺菌装置と比較して、簡易な構造とすることができる。
【００３２】
また、ＵＶＣ−ＬＥＤ１の発光面とミスト噴射器６のミスト放出口とが、ハウジング７内の殺菌対象物５が配置される部分を挟んで対向しているため、殺菌対象物５の下側（紫外線出射部の紫外線出射口側）では、上述の紫外線の散乱が発生しないか、その発生が抑制される。よって、殺菌対象物５の下側でＵＶＣ−ＬＥＤ１から直接照射される紫外線の光量の減少が抑制される。
【００３３】
さらに、ハウジング７の内面が紫外線の反射面となっていることで、ＵＶＣ−ＬＥＤ１から出射された紫外線がハウジング７内に止まるため、紫外線の利用効率が高い。
なお、この実施形態の紫外線殺菌装置１０Ａは、第一媒質として気体を用いているため、冷蔵庫内の殺菌装置にも適用できる。
【００３４】
［第三実施形態］
第三実施形態では、この発明の一態様の紫外線照射モジュールを含む紫外線殺菌装置１０Ｂについて説明する。
図３に示すように、紫外線殺菌装置１０Ｂは、ＵＶＣ−ＬＥＤ（紫外線出射部）１と、複数のミスト噴射器（第二媒質放出部）６と、ハウジング７Ａを有する。ハウジング７Ａは、底板を有さない立方体の箱状であり、天井板７１と壁板７３を有する。ハウジング７Ａの内面は、紫外線の反射率を高くする表面処理がなされて、紫外線の反射面となっている。ハウジング７Ａを台７５上に設置することで箱状の空間７８が形成され、この空間７８に空気（第一媒質）８が存在する。台７５の上面も紫外線の反射面となっている。
【００３５】
ＵＶＣ−ＬＥＤ１は、波長範囲が２５０ｎｍ〜２８０ｎｍの紫外線を発光する発光ダイオードであり、ハウジング７Ａの天井板７１中央部に発光面（紫外線出射口）を下側に向けて設置されている。
ミスト噴射器６は、従来より公知なものであり、ハウジング７Ａの天井板７１のＵＶＣ−ＬＥＤ１を中心とした円に沿った複数箇所に、水（第二媒質）を粒状で放出するミスト放出口（第二媒質放出口）を下側に向けて設置されている。  
【００３６】
紫外線殺菌装置１０Ｂを使用する際には、先ず、殺菌対象物５を、台７５から浮いた状態となるように設置する。次に、殺菌対象物５の真上にＵＶＣ−ＬＥＤ１が配置されるように、ハウジング７Ａを台７５上に設置する。
次に、ミスト噴射器６から水のミスト４１を発生させて、台７５に向けて放出すると同時に、ＵＶＣ−ＬＥＤ１から紫外線を殺菌対象物５に向けて照射する。これにより、ミスト噴射器６から放出された水のミスト４１で、ＵＶＣ−ＬＥＤ１を中心とした外側に複数のミスト部１２が形成される。
【００３７】
また、空間７８にＵＶＣ−ＬＥＤ１から広がり角度θで出射された紫外線のうちミスト部１２に入った紫外線は、散乱して向きが変わる。この散乱は、空間７８内の空気８とミスト４１との界面での屈折率の違いにより紫外線が反射または屈折することに起因する散乱と、ミスト４１によるミー散乱である。その結果、この散乱光が、殺菌対象物５の台７５側の面（紫外線が直接照射されていない部分）にも到達する。
【００３８】
以上の説明から、この実施形態の紫外線殺菌装置１０Ｂでは、ミスト噴射器６が、ミスト放出口から放出された水のミスト４１で、空間７８のＵＶＣ−ＬＥＤ１の紫外線出射口と対向する位置を除いた部分に、ＵＶＣ−ＬＥＤ１から出射された紫外線の向きを変える方向転換層（ミスト部１２）が形成されるように配置されていることが分かる。
この実施形態の紫外線殺菌装置１０Ｂは、紫外線出射部として一つのＵＶＣ−ＬＥＤ１を有し、複雑な反射光学系を有さない。そのため、紫外線出射部を配置して殺菌対象物の全面に紫外線を照射するように構成された紫外線殺菌装置や、複雑な反射光学系を設置してハウジング内の紫外線が直接照射されない部分にも紫外線が到達するように構成された紫外線殺菌装置と比較して、簡易な構造とすることができる。
【００３９】
また、殺菌対象物５とＵＶＣ−ＬＥＤ１との間にミストが存在しないため、殺菌対象物５の上側（紫外線出射部の紫外線出射口側）では上述の紫外線の散乱が生じない。よって、殺菌対象物５とＵＶＣ−ＬＥＤ１との間にもミストが存在する装置と比較して、上述の散乱により殺菌対象物５の上側でＵＶＣ−ＬＥＤ１から直接照射される紫外線の光量の減少が抑制される。
【００４０】
さらに、ハウジング７Ａの内面と台７５の上面が紫外線の反射面となっていることで、ＵＶＣ−ＬＥＤ１から出射された紫外線が空間７８内に止まるため、紫外線の利用効率が高い。
なお、台７５のＵＶＣ−ＬＥＤ１の発光面と対向する位置に、更なるミスト噴射器を設置して、そのミスト噴射器から上側に天井板７１に配置されたミスト噴射器６よりも弱いミストを放出すれば、殺菌対象物５の下側（空間７８内の紫外線が直接照射されていない部分）への紫外線到達量を増やすことができる。
【００４１】
［第四実施形態］
第四実施形態では、この発明の一態様の紫外線照射モジュールを含む殺菌ミスト噴霧器２０について説明する。
図４に示すように、殺菌ミスト噴霧器９は、水（第二媒質）が入った容器９１と、容器９１に固定された機構部９２とからなり、機構部９２は、バルブと、バルブを開閉するアクチュエータ９２１と、アクチュエータ９２１を作動させるボタン９２２を有する。バルブは機構部９２の容器９１の開口部との結合位置に取り付けられている。アクチュエータ９２１は、容器９１内の水を微粒子状に放出するミスト放出口９２１ａを有する。
【００４２】
機構部９２は更にＵＶＣ−ＬＥＤ（紫外線出射部）１を有し、ＵＶＣ−ＬＥＤ１の紫外線出射口がアクチュエータ９２１のミスト放出口と同じ平面内に存在する。アクチュエータ９２１のミスト放出口９２１ａは、ＵＶＣ−ＬＥＤ１の紫外線出射口を中心とした円に沿った複数箇所に配置されている。ＵＶＣ−ＬＥＤ１のスイッチも機構部９２に設置されている。
【００４３】
殺菌ミスト噴霧器９を使用する際には、空気中の殺菌する範囲にミスト放出口９２１ａを向け、ボタン９２２を押してアクチュエータ９２１を作動させるとともに、ＵＶＣ−ＬＥＤのスイッチをオンにする。これに伴い、バルブが開いて容器９１内の水がミスト放出口から空気（第一媒質）中に微粒子状に放出され、この放出で生じた水のミスト（粒状の第二媒質）４１が存在する空間４２内にＵＶＣ−ＬＥＤ１から紫外線が照射される。
【００４４】
その結果、水のミスト４１が存在する空間４２内の空気と水のミスト４１との界面で屈折率の違いにより紫外線が反射または屈折することに起因する散乱と、気泡によるミー散乱が生じ、この散乱した紫外線が、空間４２内の紫外線が直接照射されていない部分に到達する。これにより、空間４２内の空気中に含まれている細菌、ウイルスなどが殺菌される。
【００４５】
この実施形態の殺菌ミスト噴霧器９は、紫外線出射部として一つのＵＶＣ−ＬＥＤ１を有し、複雑な反射光学系を有さない。そのため、多数の紫外線出射部を配置して殺菌対象物の全面に紫外線を照射するように構成された紫外線殺菌装置や、複雑な反射光学系を設置して空間内の紫外線が直接照射されない部分にも紫外線が到達するように構成された紫外線殺菌装置と比較して、簡易な構造とすることができる。また、携帯して使用できるため、手軽に空間の殺菌を行うことができる。
【００４６】
上記各実施形態では、この発明の紫外線照射モジュールを殺菌装置に適用しているが、紫外線を吸収して分解される気体の分解装置に適用することもできる。すなわち、この発明の紫外線照射モジュールにおける紫外線照射対象としては、細菌、ウイルス、および紫外線吸収能を有する気体が挙げられる。
【符号の説明】
【００４７】
１  ＵＶＣ−ＬＥＤ（紫外線出射部）
１２  ミスト部（方向転換層）
２  気泡発生器（第二媒質放出部）
３  水槽
３１  水槽の天井板
３２  水槽の底板
３３  水槽の壁板
４  水（第一媒質）
４１  水のミスト（粒状の第二媒質）
４２  水のミストが存在する空間
５  殺菌対象物
６  ミスト噴射器（第二媒質放出部）
７  ハウジング
７Ａ  ハウジング
７１  ハウジングの天井板
７２  ハウジングの底板
７３  ハウジングの壁板
７５  台
７８  箱状の空間
８  空気（第一媒質）
９  殺菌ミスト噴霧器（紫外線殺菌装置）
９１  水（第二媒質）が入った容器
９２  機構部
９２１  アクチュエータ
９２１ａ  ミスト放出口
９２２  ボタン
１０  紫外線殺菌装置
１０Ａ  紫外線殺菌装置
１０Ｂ  紫外線殺菌装置
【図１】
0006721367.tif 000002
【図２】
0006721367.tif 000003
【図３】
0006721367.tif 000004
【図４】
0006721367.tif 000005